(57)【要約】【課題】  情報処理装置における無線通信のアクセスポイントの設定の操作性を向上させる。【解決手段】  複数の無線送信器からそれぞれ送信される複数の無線信号であって、それぞれが対応する該複数の無線送信器の名称情報を含む無線信号を受信可能な受信部と、前記受信部が受信した前記複数の無線信号に基づいて、該複数の無線信号にそれぞれ対応する前記複数の無線送信器の名称情報を予め定められた順序で表示部に表示するよう制御可能な表示順序制御部と、ユーザによる操作を検出可能な操作検出部と、を備え、前記表示順序制御部は、前記操作検出部が所定の期間に操作を検出しなかった場合には前記表示部の表示を更新し、前記操作検出部が所定の期間に操作を検出した場合には前記表示部の表示の更新を禁止する、ことを特徴とする情報処理装置を提供する。【選択図】  図１
2015119284.tif 000002
【特許請求の範囲】
【請求項１】
複数の無線送信器からそれぞれ送信される複数の無線信号であって、それぞれが対応する該複数の無線送信器の名称情報を含む無線信号を受信可能な受信部と、
前記受信部が受信した前記複数の無線信号に基づいて、該複数の無線信号にそれぞれ対応する前記複数の無線送信器の名称情報を予め定められた順序で表示部に表示するよう制御可能な表示順序制御部と、
ユーザによる操作を検出可能な操作検出部と、を備え、
前記表示順序制御部は、前記操作検出部が所定の期間に操作を検出しなかった場合には前記表示部の表示を更新し、前記操作検出部が所定の期間に操作を検出した場合には前記表示部の表示の更新を禁止する、
ことを特徴とする情報処理装置。
【請求項２】
前記表示順序制御部は、前記複数の無線信号のそれぞれの信号強度を特定可能であり、かつ前記複数の無線送信器のうち、予め定められた閾値より強い信号強度の無線送信器の名称を前記表示部に表示するよう制御可能である
ことを特徴とする、請求項１に記載の情報処理装置。
【請求項３】
前記複数の無線信号は、それぞれ対応する前記複数の無線送信器のセキュリティ情報を含んでおり、
前記表示順序制御部は、予め定められたセキュリティ情報に関する優先順位に沿った順序で、前記複数の無線送信器の名称情報を表示するよう制御可能である
ことを特徴とする、請求項１または請求項２に記載の情報処理装置。
【請求項４】
前記表示順序制御部は、予め定められた名称情報に関する優先順位に沿った順序で、前記複数の無線送信器の名称情報を表示するよう制御可能である
ことを特徴とする、請求項１乃至請求項３のいずれか１項に記載の情報処理装置。
【発明の詳細な説明】
【技術分野】
【０００１】
本発明の一態様は、無線通信を利用可能な情報処理装置に関する。
【背景技術】
【０００２】
近年、無線通信の機能を備えた、所謂パソコン（電子計算機）、スマートフォン、及びタブレット機器などの情報処理装置が普及している。このような情報処理装置では、無線通信を利用するためにアクセスポイントを経由することが多い。情報処理装置でアクセスポイントを経由して無線通信をする場合、ユーザが情報処理装置とアクセスポイントとの接続設定を行った後に、無線通信でのインターネット等が可能となる。この接続設定では、一般的に周囲のアクセスポイントを情報処理装置が自動で検索し、ユーザが手動で、どのアクセスポイントを利用するかを設定する場合が多い。図７は、情報処理装置が自動で周囲のアクセスポイント（ＡＰ）を検索する処理を示すフローチャートである。アクセスポイント検索処理が開始されると（Ｓ４００）、情報処理装置は、新規のアクセスポイントが周囲に存在しないかを検索し（Ｓ４１０）、新規のアクセスポイントが検出できない場合には（Ｓ４１０でＮ）、当該検出処理（Ｓ４１０）を繰り返す。一方で、新規のアクセスポイントが検出された場合には（Ｓ４１０でＹ）、情報処理装置に表示されるアクセスポイントのリスト表示を更新し（Ｓ４２０）、さらに検出処理（Ｓ４１０）を繰り返す。ユーザは、このようにして検出されたアクセスポイントのいずれかを選択して情報処理装置を接続させる。
【０００３】
このようなアクセスポイントの設定に関して、例えば特許文献１では操作中のウィンドウがアクティブでなくなった場合や所定の時間に操作がなされなかった場合に、アクセスポイントの表示更新を停止させる技術が開示されている。
【先行技術文献】
【特許文献】
【０００４】
【特許文献１】特開平１１−３５３０７８
【発明の概要】
【発明が解決しようとする課題】
【０００５】
しかしながら、特許文献１に記載された技術を含む従来の技術では、ユーザがアクセスポイントの設定を行おうとする際に、情報処理装置が自動で検索したアクセスポイントの一覧が断続的に更新され、ユーザの操作の障害となる場合がある。すなわち、ユーザが特定のアクセスポイントを選択しようとしたタイミングでアクセスポイントの更新がなされ、意図しないアクセスポイントを選択してしまう場合がある。
【０００６】
本発明は、このような課題を解決するためになされたものであり、その目的のひとつは、アクセスポイントの設定時のユーザの操作性を向上させた情報処理装置を提供することにある。
【課題を解決するための手段】
【０００７】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００８】
本発明の一手段は、
複数の無線送信器（アクセスポイント群３０）からそれぞれ送信される複数の無線信号であって、それぞれが対応する該複数の無線送信器の名称情報を含む無線信号を受信可能な受信部（受信部２１０）と、
前記受信部が受信した前記複数の無線信号に基づいて、該複数の無線信号にそれぞれ対応する前記複数の無線送信器の名称情報（アクセスポイントの名称）を予め定められた順序で表示部に表示するよう制御可能な表示順序制御部（制御部２４０）と、
ユーザによる操作を検出可能な操作検出部（ポインティングデバイス２２０またはキーボードデバイス２３０）と、を備え、
前記表示順序制御部は、前記操作検出部が所定の期間に操作を検出しなかった場合には前記表示部の表示を更新し、前記操作検出部が所定の期間に操作を検出した場合には前記表示部の表示の更新を禁止する（図３参照）、
ことを特徴とする情報処理装置である。
【０００９】
本手段によれば、ユーザがアクセスポイントの選択操作を実行しようと操作検出部（ポインティングデバイス２２０またはキーボードデバイス２３０）を操作したときには、表示部（表示部２５０）での表示の更新がなされないため、ユーザの誤操作を回避することができる。ひいては、操作性を向上させることができる。
【００１０】
本発明の一手段は、上記手段に加え、
前記表示順序制御部は、前記複数の無線信号のそれぞれの信号強度を特定可能であり、かつ前記複数の無線送信器のうち、予め定められた閾値より強い信号強度の無線送信器の名称を前記表示部に表示するよう制御可能である
ことを特徴とする情報処理装置である。
【００１１】
本手段によれば、表示部２５０には信号強度が一定の強さのアクセスポイントのみが表示されるため、信号強度が強く実用性の低いアクセスポイントの表示を回避することができる。さらに、一般的には接続しようとするアクセスポイントは近くにあることが多いため、所望のアクセスポイントの発見を容易にすることができる。これにより、操作性を向上させることができる。
【００１２】
本発明の一手段は、上記手段に加え、
前記複数の無線信号は、それぞれ対応する前記複数の無線送信器のセキュリティ情報を含んでおり、
前記表示順序制御部は、予め定められたセキュリティ情報に関する優先順位に沿った順序で、前記複数の無線送信器の名称情報を表示するよう制御可能である
ことを特徴とする情報処理装置である。
【００１３】
本手段によれば、例えば、セキュリティ強度の強いアクセスポイントを優先的に表示するため、セキュリティ強度の強い安全なアクセスポイントへの接続を容易にすることができる。
【００１４】
本発明の一手段は、上記手段に加え、
前記表示順序制御部は、予め定められた名称情報に関する優先順位に沿った順序で、前記複数の無線送信器の名称情報を表示するよう制御可能である
ことを特徴とする情報処理装置である。
【００１５】
本手段によれば、例えば、名称順にアクセスポイントが整列されて表示されるので、所望の名称のアクセスポイントの発見を容易にすることができる。
【図面の簡単な説明】
【００１６】
【図１】本発明の情報処理装置を含むシステム構成を示す図。
【図２】情報処理装置が検出するアクセスポイントのリスト表示が更新される様子を示す図。
【図３】情報処理装置におけるアクセスポイントの検索処理を示すフローチャート。
【図４】優先順位として電波強度を基準に整列されたアクセスポイントのリスト表示の例を示す図。
【図５】優先順位としてセキュリティ強度を基準に整列されたアクセスポイントのリスト表示の例を示す図。
【図６】優先順位としてアクセスポイント名称を基準に整列されたアクセスポイントのリスト表示の例を示す図。
【図７】従来の情報処理装置におけるアクセスポイント検索処理を示すフローチャート。
【発明を実施するための形態】
【００１７】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
（１）システム構成
（２）アクセスポイントのリスト表示の更新
（３）アクセスポイントの検索処理
２．実施形態２
３．実施形態３
４．補足事項
【００１８】
＜１．実施形態１＞
まず、本発明の実施形態１について、図１乃至図４を参照しながら説明する。
【００１９】
＜（１）システム構成＞
図１は、本実施形態の情報処理装置を含むシステムの構成を示す図である。図１に示すように、本実施形態のシステムは、情報処理装置２０と、アクセスポイント群３０とを含んで構成される。情報処理装置２０は、受信部２１０、ポインティングデバイス２２０、キーボードデバイス２３０、制御部２４０、及び表示部２５０を含んで構成される。アクセスポイント群３０は、第１アクセスポイント３１０１乃至第Ｎアクセスポイント３１０Ｎを含んで構成される。なお、ここでは情報処理装置２０がすべての構成を含むよう説明しているが、ここで情報処理装置２０に含まれる制御部２４０以外のいずれかの構成が、情報処理装置２０の外部に接続されていてもよい。
【００２０】
＜受信部２１０＞
受信部２１０は、アクセスポイント群３０から、各アクセスポイント３１０１〜３１０Ｎの名称を含む無線信号（電波）を受信可能に構成される。受信部２１０は、制御部２４０からの要求に応答して、この無線信号を制御部２４０に出力可能に構成される。
【００２１】
＜ポインティングデバイス２２０＞
ポインティングデバイス２２０は、ユーザの操作を検出して制御部２４０に操作入力信号を出力可能に構成される。ポインティングデバイス２２０は、例えばマウス、またはタッチパネルなどで構成される。
【００２２】
＜キーボードデバイス２３０＞
キーボードデバイス２３０は、ユーザの操作を検出して制御部２４０に操作入力信号を出力可能に構成される。
【００２３】
＜制御部２４０＞
制御部２４０は、受信部２１０に対して、その時点で受信部２１０が受信可能な無線信号の情報を制御部２４０に出力するよう指示可能に構成される。また、制御部２４０は、受信部２１０から入力された無線信号に基づいて、この無線信号に対応するそれぞれのアクセスポイント３１０１〜３１０Ｎの名称等を、表示部２５０に一覧として表示可能に構成される。また、制御部２４０は内部タイマーを有しており、ポインティングデバイス２２０及びキーボードデバイス２３０から入力される操作入力のインターバルを計測可能に構成される。制御部２４０は、ポインティングデバイス２２０またはキーボードデバイス２３０からの操作入力が、前の操作入力から予め定められた所定の期間以上入力されないときは、再度受信部２１０に対して、その時点で受信部２１０が受信可能な無線信号の情報を制御部２４０に出力するよう指示可能である。このとき、制御部２４０は、入力された無線信号に基づいて、表示部２５０に表示されるアクセスポイントのリスト表示（一覧表示）を更新可能である。また、制御部２４０は、受信部２１０がアクセスポイント群３０から受信した無線信号に基づいて、アクセスポイント群３０の各アクセスポイントの電波強度を計測可能に構成される。
【００２４】
制御部２４０は、上述のアクセスポイントの情報に基づいて、電波強度、セキュリティの強さ、またはアクセスポイント名称の順に整列した状態で、表示部２５０にアクセスポイントのリストを表示できるよう構成される。特に、本実施形態では、以下の動作説明でも説明するように、制御部２４０は電波強度に基づくリストの整列及び表示を行う。
【００２５】
さらに、制御部２４０は、表示するアクセスポイントを、一定の基準を満足するアクセスポイントに限定することが可能である。特に、本実施形態では、制御部２４０は予め定められた閾値よりも強い電波強度のアクセスポイントに限定して、表示部２５０に表示するように構成される。
【００２６】
＜表示部２５０＞
表示部２５０は、制御部２４０からの入力信号に基づいて、アクセスポイントのリスト（一覧）を表示可能に構成される。また、制御部２４０からの入力信号に基づいてその表示を更新されうる。
【００２７】
＜アクセスポイント群３０＞
アクセスポイント群３０は、複数のアクセスポイントの集合を指す。下記のとおり、アクセスポイント群３０は、第１アクセスポイント３１０１〜第Ｎアクセスポイント３１０ＮのＮ個のアクセスポイントを含んでいる。
【００２８】
＜アクセスポイント３１０１〜３１０Ｎ＞
アクセスポイント３１０１〜３１０Ｎは、アクセスポイント群３０に含まれるアクセスポイントの個々を指し、第１アクセスポイント３１０１〜第Ｎアクセスポイント３１０Ｎまでが本実施形態のシステムに含まれる。なお、Ｎは自然数である。これらのアクセスポイントは、それぞれが無線ルータ、基地局、または無線ルータとして機能するパソコン端末等で構成される。各アクセスポイントは、情報処理装置２０の受信部２１０と無線通信が可能であり、受信部２１０との間で無線信号の送受信が可能である。また、各アクセスポイントは、それぞれの情報を受信部２１０に送信可能に構成される。このアクセスポイントの情報には、アクセスポイントの名称情報、及び送受信する信号のセキュリティが含まれる。
【００２９】
＜（２）アクセスポイントのリスト表示の更新＞
ここで、表示部２５０に表示されるアクセスポイントのリスト表示について説明する。
【００３０】
図２は、情報処理装置２０が検出し、表示部２５０に表示する、アクセスポイントのリスト表示の更新される状態を示す図である。図２に示されるように、時間軸の前後において、第１アクセスポイント乃至第Ｎアクセスポイントの表示順序が更新されている。具体的には、左側の時間では、第１アクセスポイント乃至第Ｎアクセスポイントが順に表示されているが、左側より時間が進んだ右側の時間では、第Ｎアクセスポイントが一番上に表示され、第３アクセスポイントが一番下に表示されている。このような表示の更新について、具体的に説明する。
【００３１】
＜（３）アクセスポイントの検索処理＞
図３は、情報処理装置２０におけるアクセスポイントの検索処理を示すフローチャートである。
【００３２】
＜Ｓ４００〜Ｓ４１０＞
アクセスポイント検索処理が開始されると（Ｓ４００）、制御部２４０は受信部２１０に対して、この時点で受信可能なアクセスポイントについての情報を要求する。受信部２１０は、この時点で受信可能な、アクセスポイント群３０から送信されている無線信号を受信し、各アクセスポイントの電波強度とともに、その情報を制御部２４０に出力する。制御部２４０は、これらの無線信号のそれぞれに含まれる、アクセスポイント機器番号（個体番号）を抽出し、前回受信部２１０から受け取ったアクセスポイントに対して新規のアクセスポイントが検出されたか否かを確認する（Ｓ４１０）。新規のアクセスポイントが検出されなかった場合（Ｓ４１０でＮ）、制御部２４０は、予め定められた一定期間（例えば５秒）が経過した後に、再度新規アクセスポイントの検出を行う（Ｓ４１０）。
【００３３】
＜Ｓ４３０＞
制御部２４０が新規のアクセスポイントを検出した場合（Ｓ４１０でＹ）、制御部２４０は、前回の新規アクセスポイントの検出（Ｓ４１０）から今回の新規アクセスポイントの検出（Ｓ４１０）までの期間（例えば５秒間）に、ユーザ操作によるポインタの移動量が予め定められた閾値以上だったか（例えばポインタが動いたか）を確認する。具体的には、この期間にポインティングデバイス２２０からの操作入力信号を受け取ったか否かを確認する。ポインタの移動量が閾値以上だった場合（Ｓ４３０でＹ）、制御部２４０はアクセスポイントのリスト表示の更新を停止し（Ｓ４５０）、再度新規アクセスポイントの検出を行う（Ｓ４１０）。
【００３４】
＜Ｓ４４０〜Ｓ４５０＞
制御部２４０がポインタの移動量が閾値未満だった（閾値以上ではなかった）と判断した場合（Ｓ４３０でＮ）、制御部２４０は、前回の新規アクセスポイントの検出（Ｓ４１０）から今回の新規アクセスポイントの検出（Ｓ４１０）までの期間（例えば５秒間）に、ユーザ操作によるカーソルの移動があったか否かを確認する。具体的には、この期間にキーボードデバイス２３０からの操作入力信号を受け取ったか否かを確認する。カーソルの移動があった場合（Ｓ４４０でＹ）、制御部２４０はアクセスポイントのリスト表示の更新を停止し（Ｓ４５０）、再度新規アクセスポイントの検出を行う（Ｓ４１０）。
【００３５】
＜Ｓ４６０＞
制御部２４０が、カーソルの移動がなかったと判断した場合（Ｓ４４０でＮ）、制御部２４０は、受信部２１０から入力された各アクセスポイントの情報から、アクセスポイント機器番号（個体番号）に加え、アクセスポイントの名称、及び信号の送受信に使われているセキュリティの内容を抽出する。制御部２４０は、これらの各アクセスポイントの情報を、予め定められた優先順位に基づいて優先度の高い順に順序付けを行い、表示部２５０に表示されたアクセスポイントのリストの更新を行う（Ｓ４６０）。さらにここでは、制御部２４０は、予め定められた基準を満たすアクセスポイントだけを表示する。
【００３６】
図４は、上記処理の結果、表示部２５０に表示されるアクセスポイントのリストを示す図である。本実施形態では、予め定められた優先順位の基準を電波強度とする例について説明する。上記Ｓ４６０の処理によって、制御部２４０は、各アクセスポイントの機器番号、電波強度、セキュリティの内容、及びアクセスポイント名称を取得しており、この中の電波強度に基づいて、順序付けを行う。すなわち、第１アクセスポイント乃至第５アクセスポイント、及び第Ｎアクセスポイントの電波強度は、それぞれ、−３０、−３５、−４５、−６０、−７０、及び−９０となっているため、制御部２４０は、第１アクセスポイントから順に、図４に示すように表示部２５０にアクセスポイントのリストを表示する。さらに、第５アクセスポイント及び第Ｎアクセスポイントは、それぞれの電波強度が−７０および−９０となっており、ここで設定された閾値（−６５）よりも低くなっている。したがって、制御部２４０はこれらのアクセスポイントについては表示部２５０に表示しないよう制御する（図４参照）。その結果、表示部２５０には第１アクセスポイント乃至第４アクセスポイントの４つのアクセスポイントが表示されることになる。ユーザは、ポインティングデバイス２２０またはキーボードデバイス２３０を用い、いずれかのアクセスポイントへ接続する設定を行う。
【００３７】
以上の処理により、情報処理装置２０は、アクセスポイントの検索処理を実行し、その結果、図４に示すアクセスポイントのリストを表示部２５０に表示する。
【００３８】
上記の方法によれば、ユーザがアクセスポイントの選択操作を実行しようと操作検出部（ポインティングデバイス２２０またはキーボードデバイス２３０）を操作したときには、表示部（表示部２５０）での表示の更新がなされないため、ユーザの誤操作を回避することができる。ひいては、操作性を向上させることができる。
【００３９】
さらに、上記方法では、表示部２５０には電波強度（信号強度）が一定の強さのアクセスポイントのみが表示されるため、電波強度が強く実用性の低いアクセスポイントの表示を回避することができる。さらに、一般的には接続しようとするアクセスポイントは近くにあることが多いため、所望のアクセスポイントの発見を容易にすることができる。これにより、操作性を向上させることができる。
【００４０】
なお、本実施形態では説明のために「電波強度」を用いて説明しているが、電波以外の信号でも適用可能である。
【００４１】
＜２．実施形態２＞
次に、本発明の実施形態２について、図５を参照しながら説明する。
【００４２】
本実施形態が実施形態１と異なる点は、制御部２４０で用いられる優先順位の基準である。本実施形態では、制御部２４０ではセキュリティの強度を基準として優先順位付けを行う。それ以外のシステム構成やアクセスポイントの検索処理については実施形態１と同様である。
【００４３】
本実施形態の制御部２４０は、予めセキュリティの内容と、その強度との対応表を備えており、この対応表に基づいてセキュリティ強度を判定する。例えば、制御部２４０は、ＷＰＡ２、ＷＰＡ、ＷＥＰ、の順に、セキュリティ強度が強いとする対応表のテーブルを備える。制御部２４０は、受信部２１０から入力されたアクセスポイントの情報のうちのセキュリティの内容と、このセキュリティ強度の対応表とを比較して、アクセスポイントをセキュリティ強度の順に順序付けを行う。さらに、制御部２４０は、予め定められた電波強度の閾値（−６５）よりも強い電波強度のアクセスポイントだけを表示するよう制御する。
【００４４】
図５は、本実施形態での表示部２５０のアクセスポイントのリスト表示を示す図である。図５に示すように、表示部２５０には、セキュリティがＷＰＡ２の第４アクセスポイント、セキュリティがＷＰＡの第２アクセスポイント、セキュリティがＷＥＰの第１アクセスポイント、セキュリティの設定がない（ＮＯＮＥ）第３アクセスポイント、の順に、アクセスポイント一覧が表示される。第５アクセスポイント及び第Ｎアクセスポイントは、その電波強度が閾値（−６５）より弱いため表示部２５０には表示されない。
【００４５】
上記の方法によれば、セキュリティ強度の強いアクセスポイントを優先的に上位に表示するため、セキュリティ強度の強い安全なアクセスポイントへの接続を容易にすることができる。
【００４６】
なお、上記の説明では制御部２４０は電波強度を基準として、表示部２５０に表示するか否かを決定しているが、一定のセキュリティ強度があるものだけを表示部２５０に表示するようにしてもよい。例えば、制御部２４０は、セキュリティが設定されていないものについては表示部２５０に表示しないような制御を行うことが可能である。このような設定は、ユーザが任意に変更できるものとしてよい。
【００４７】
このようにすれば、誤って安全性に問題のあるアクセスポイントへの接続を回避することが可能となる。
【００４８】
＜３．実施形態３＞
次に、本発明の実施形態３について、図６を参照しながら説明する。
【００４９】
本実施形態が実施形態１と異なる点は、制御部２４０で用いられる優先順位の基準である。本実施形態では、制御部２４０ではアクセスポイント名称を基準として優先順位付けを行う。それ以外のシステム構成やアクセスポイントの検索処理については実施形態１と同様である。
【００５０】
本実施形態の制御部２４０は、予め名称の順位づけのためのテーブルを備えており、このテーブルに基づいて名称の表示順序を判定する。例えば、制御部２４０は、文字コードのテーブルを備える。制御部２４０は、受信部２１０から入力されたアクセスポイントの情報のうちのセキュリティの内容と、この文字コードのテーブルとを比較して、アクセスポイントを文字コードに基づいたアクセスポイント名称の順に順序付けを行う。さらに、制御部２４０は、予め定められた電波強度の閾値（−６５）よりも強い電波強度のアクセスポイントだけを表示するよう制御する。
【００５１】
図６は、本実施形態での表示部２５０のアクセスポイントのリスト表示を示す図である。図６に示すように、表示部２５０には、アクセスポイント名称がＡＡＡの第２アクセスポイント、アクセスポイント名称がＢＢＢの第４アクセスポイント、アクセスポイント名称がＹＹＹの第３アクセスポイント、アクセスポイント名称がＺＺＺの第１アクセスポイント、の順に、アクセスポイント一覧が表示される。第５アクセスポイント及び第Ｎアクセスポイントは、その電波強度が閾値（−６５）より弱いため表示部２５０には表示されない。
【００５２】
上記の方法によれば、名称順にアクセスポイントが整列されて表示されるので、所望の名称のアクセスポイントの発見を容易にすることができる。
【００５３】
＜４．補足事項＞
以上、本発明の実施形態１乃至実施形態３についての具体的な説明を行った。上記説明は、あくまで一実施形態としての説明であって、本発明の範囲はこの一実施形態に留まらず、当業者が把握可能な範囲にまで広く解釈されるものである。
【００５４】
上記の説明では電波強度を−３０などとして示しているが、受信部２１０が利用可能な種々の電波強度の数値を利用することができる。
【００５５】
また、図４乃至図６にはアクセスポイント機器番号、電波強度、セキュリティ、及びアクセスポイント名称が表示部２５０に表示される例について説明しているが、必ずしもこれらのすべてが表示部２５０に表示される必要はない。
【００５６】
また、実施形態では一定の電波強度よりも強いアクセスポイントのみを表示部２５０に表示する例について説明したが、すべてのアクセスポイントを表示部２５０に表示するようにしてもよい。このような設定は、ユーザが任意に設定できるようにすることがより好ましい。
【００５７】
また、上記の実施形態は互いに組み合わせて利用してもよい。例えば、第１の優先順位として電波強度を用い、第２の優先順位としてセキュリティ強度を用いる形態などが考えられる。この場合、制御部２４０は、同じ電波強度のアクセスポイントについては、セキュリティ強度が高いアクセスポイントを上位に表示するように制御することができる。
【００５８】
さらに、電波強度についてはゾーン設定をしてもよい。すなわち、特定の範囲のゾーン（例えば−２０おき）としてアクセスポイントを分類し、この範囲の電波強度のアクセスポイントについては同じ電波強度として扱う形態などが考えられる。
【産業上の利用可能性】
【００５９】
本発明は、無線通信を利用可能な情報処理装置に好適に適用される。
【符号の説明】
【００６０】
２０……情報処理装置
３０……アクセスポイント群
２１０……受信部
２２０……ポインティングデバイス
２３０……キーボードデバイス
２４０……制御部
２５０……表示部
３１０１〜３１０Ｎ……アクセスポイント
【図１】
2015119284.tif 000003
【図２】
2015119284.tif 000004
【図３】
2015119284.tif 000005
【図４】
2015119284.tif 000006
【図５】
2015119284.tif 000007
【図６】
2015119284.tif 000008
【図７】
2015119284.tif 000009